(57)【要約】【課題】  両方の耳内補聴器間のコミュニケーションをとり得る耳内補聴器を提供する。【解決手段】  ハウジングと優先的な伝達方向を有するアンテナ装置ＡＳとを備え、優先的な伝達方向が患者の第１の耳に補聴器が取り付けられたないし挿入された状態においてほぼ患者の第２の耳を指し示すようにアンテナ装置ＡＳがハウジング内に配置され、その結果補聴器がはめ込まれた状態において両補聴器の伝達方向はほぼ一直線上にあり、最適伝達が得られる。【選択図】図１
2005295554.tif 000002
【特許請求の範囲】
【請求項１】
ハウジングと優先的な伝達方向を有するアンテナ装置とを備えた患者の両耳用耳内補聴器において、優先的な伝達方向が患者の第１の耳に補聴器が取り付けられたないし挿入された状態においてほぼ患者の第２の耳を指し示すようにアンテナ装置（ＡＳ）がハウジング内に配置されることを特徴とする両耳用耳内補聴器。
【請求項２】
アンテナ装置（ＡＳ）がアンテナコイルを含むことを特徴とする請求項１記載の耳内補聴器。
【請求項３】
補聴器がCIC補聴器であることを特徴とする請求項１又は２記載の耳内補聴器。
【請求項４】
取り付け板（Ｍ）を備え、アンテナ装置（ＡＳ）が取り付け板の垂線に対し１０〜４０°の角度に配置されていることを特徴とする請求項１〜３のいずれか１つに記載の耳内補聴器。
【請求項５】
角度が２０〜３０°の値であることを特徴とする請求項４記載の耳内補聴器。
【請求項６】
電池（Ｂ）を接触させるための電池用ばね（ＢＦ）を備え、電池用ばね（ＢＦ）にアンテナ装置（ＡＳ）を固定するためのジブ（Ａ）が配置されていることを特徴とする請求項１〜５のいずれか１つに記載の耳内補聴器。
【請求項７】
プログラミング接触部（Ｐ）を備え、このプログラミング接触部上にアンテナ装置（ＡＳ）がのせられていることを特徴とする請求項１〜５のいずれか１つに記載の耳内補聴器。
【発明の詳細な説明】
【技術分野】
【０００１】
本発明は、ハウジングと優先的な伝達方向を有するアンテナ装置とを備えた患者の両耳用耳内（IdO＝In dem Ohr）補聴器に関する。
【背景技術】
【０００２】
耳内補聴器においては、ごく僅かの構造空間しか自由に使用できないという根本的な問題がある。それ故耳内補聴器に必要な要素はできるだけ小さく構成しなければならないか、最小限になるようにしなければならない。
【０００３】
両耳用にはさらに両側の補聴器がその調整で互いに合わされなければならないという要求がある。耳内補聴器が自身自動的に特定の聞き状況に調節する機構を持っている場合には、両側の補聴器の調整が互いに合うようになされなければならない。
【０００４】
２つの補聴器を有する補聴器システムは知られている（例えば、特許文献１参照）。その補聴器は双方向の無線式信号路により結ばれている。また、２つの補聴器が双方向にかつ無線式に互いに結ばれている両耳式補聴システムも知られている（例えば、特許文献２参照）。
【０００５】
さらに補聴器のための、場所をとらないアンテナ装置が明らかにされている（例えば、特許文献３参照）。そこではアンテナコイルが受話器又はマイクロフォン上に巻かれている。
【特許文献１】独国特許出願公開第10048354 A1号明細書
【特許文献２】米国特許第6549633号明細書
【特許文献３】独国特許第10236940 B3号明細書
【発明の開示】
【発明が解決しようとする課題】
【０００６】
本発明の課題は、他の耳内補聴器とコミュニケーションをとり得る耳内補聴器を提供することにある。
【課題を解決するための手段】
【０００７】
この課題は本発明によれば、ハウジングと優先的な伝達方向を有するアンテナ装置とを備えた患者の両耳用耳内補聴器において、優先的な伝達方向が患者の第１の耳に補聴器が取り付けられたないし挿入された状態においてほぼ患者の第２の耳を指し示すようにアンテナ装置がハウジング内に配置されることによって解決される。
【０００８】
従って本発明によれば、アンテナは両耳用の両側の補聴器のコミュニケーションのために正確に定義された位置、即ち耳内補聴器においてハウジングに特定の角度で取り付けられる。このようにして、両耳の補聴器のアンテナの伝達方向が互いに合わされているため、両耳内補聴器間の省エネルギー的伝達を実現することができる。
【０００９】
アンテナ装置がアンテナコイルを含むのが有利である。このアンテナコイルによって、両耳用としての両補聴器間の電磁式伝達路を作ることができる。
【００１０】
耳内補聴器としては、患者の耳道内に完全にはめ込むことのできるいわゆるCIC補聴器を取り扱うことができる。このことは、アンテナが特定の方向付けそのもののためにCIC補聴器内に取り付けられ得ることを意味する。
【００１１】
耳内補聴器は類型的に取り付け板を有し、アンテナ装置は取り付け板に垂直な方向に対し１０〜４０°の角度で配置されている。この角度は約２０〜３０°が有利である。この角度は、患者の両耳を結ぶ線に対する耳道の典型的な傾斜角に相応する。患者の左耳及び右耳にはめ込まれている補聴器の取り付け板は、通常互いにほぼ平行に向いている。それ故優先的な伝達方向を有するアンテナ装置が取り付け板に対し上述の角度を有する場合には、はめ込まれた状態において両補聴器の伝達方向は一直線上にあり、その際伝達方向は互いに反対である。それによって、最小のエネルギーを使用した両アンテナ装置間の最適伝達が可能である。その際左の補聴器と右の補聴器におけるアンテナの取り付け角度は同じ値であるが、異なる符号を持つことが考慮されなければならない。
【００１２】
アンテナ装置のための保持装置としては、補聴器電池の接触のための電池用ばねを使用することができる。そのため電池用ばねにジブが設けられ、このジブにアンテナ装置を固定することができる。そうしてアンテナ装置の安定した固定が保障される。
【００１３】
それに代えて、アンテナ装置を補聴器のプログラミング接触部上に固定することができる。そのためアンテナ装置が固定されるか固定し得る特殊なアダプタがプログラミング接触部上にのせられる。この固定可能性は、特定の補聴器組み立てにおいて、プログラミング接触部の領域のみがアンテナ装置のための取り付け空間として自由使用できる場合に有利である。さらにこの変型固定法は組み立てが簡単な利点を有する。
【発明を実施するための最良の形態】
【００１４】
次に本発明の実施形態を図面について説明する。
【実施例】
【００１５】
図１によれば、補聴器の製作の最終状態において個々に耳調整ピースの輪郭に切られフェースピースと呼ばれる取り付け板Ｍに、補聴器のエレクトロニクス構成要素が固定されている。特に電池Ｂは取り付け板Ｍを突き出ている。電池Ｂは電池用ばねＢＦにより保持される。電池Ｂの上方にはエレクトロニクスモジュールＥが示されている。
【００１６】
電池用ばねＢＦにはジブＡが固定され、その末端にクリップＫが取り付けられている。クリップＫはアンテナコイルＡＳを保持する。スピーカーに対するスペーサとして、軟質ゴム片Ｇ１がアンテナコイルＡＳの前面に取り付けられ、その側面はクリップＫの近傍にある。
【００１７】
同様に図１から認められるように、ジブＡはその中央の領域において若干曲げられており、その結果取り付け板に対するアンテナコイルＡＳの所望の角度位置が得られる。電池用ばねＢＦへのジブＡの固定も任意の角度に行うことができる。従って、クリップＫ及びそれ故アンテナコイルＡＳにも取り付け板Ｍないしその垂直線に対し任意の立体角を与えることができる。
【００１８】
図２には、図１にも示されている主要な構成要素が他の視点から再度示されており、その際図を見やすくする理由からエレクトロニクスモジュールＥの表示は省略された。特にここでは２つの電池用ばねＢＦが認められ、そのばね間に電池Ｂが保持されている。左側の電池用ばねＢＦにはジブＡが配置され、このジブはアンテナコイルＡＳを取り付け板Ｍの垂線に対し所望の角度αに保持する。さらに図２から、アンテナ装置ＡＳが図の面に垂直な方向にも傾けられていることが認められる。従って角αと共同して特有の立体角が生じ、この角度は患者の両方の耳を結ぶ線に対する耳道の統計的な耳道角に相応する。アンテナコイルＡＳの優先的な伝達方向はその軸に沿って存在する。それ故補聴器装着者の一方の側の補聴器においてアンテナコイルＡＳが記述されたように整列され、補聴器装着者の他方の側の補聴器においてこれに対称に整列されていると、両アンテナコイルは互いにほぼ同軸にある。それに応じて両アンテナコイル間の無線式結合が最小限のエネルギーで作り上げられる。
【００１９】
電池用ばねＢＦに設けたジブＡに代えて、アンテナコイルＡＳを所望の角度に保持するためにアダプタを設けることもでき、このアダプタは補聴器エレクトロニクス素子の取り付け板Ｍ上に留められる。むろん所望の角度に保持するための他の構成要素を設けることもできる。
【００２０】
耳内補聴器をできるだけ小さく組み立て、アンテナを厳密に取り付けることができるように、アンテナは受話器ないしスピーカーに対し元の場所に戻すように取り付けられるべきである。これに対する理由は、補聴器はほぼ円錐形に形成され、それ故外方に向かってより多くの構造空間が自由使用に任されることにある。この問題性は特に、完全に耳道内にはめ込まれるCIC補聴器において生じる。
【００２１】
組み立て上の理由から、アンテナコイルＡＳの留め具は、アンテナコイルが組み込みの際損傷されないように形成されるべきである。クリップＫはそのようなやさしい留め具である。
【００２２】
耳内補聴器のための耳調整片は原則として個々に作り上げられる。それ故各補聴器において対応する他の組み込み空間が自由使用に任される。それ故いくつかの組み込みの試みから、統計的手段で、図１及び図２に示されるように電池のそばの位置に適当な止め具により電池用ばねＢＦに固定するのが有利であることが判明した。従ってフェースプレート部分の代表的な底面が付加部品、アンテナコイルＡＳ、によって大きくなることがない。
【図面の簡単な説明】
【００２３】
【図１】本発明の耳内補聴器のアンテナを含めたものの実施例の斜視図である。
【図２】図１に示す本発明の実施例を異なる視角からの斜視図である。
【符号の説明】
【００２４】
Ｍ  取り付け板
Ｂ  電池
ＢＦ  電池用ばね
Ｅ  エレクトロニクスモジュール
Ａ  ジブ
Ｋ  クリップ
ＡＳ  アンテナ装置
Ｇ１  軟質ゴム
Ｐ  プログラミング接触部
【図１】
2005295554.tif 000003
【図２】
2005295554.tif 000004